(57)【要約】【課題】屋外で使用する携帯式防犯装置に於いて、強力な犯罪の事前抑止効果と、事件や事故の状況証拠を記録する手段の有するものを提供する。【解決手段】撮影光学系を備えた装置であって、超広角のカメラレンズ１を少なくとも前方と後方の方向に各１個ずつ設けて略全周囲の被写体を同時に捕らえるレンズ系を備え、該レンズ系によって投影された被写体情報をイメージセンサ２や画像処理装置３を介して薄型軽量の記録媒体４に動画データとして記録する撮影手段を備え、該撮影手段の動作中は周囲に装置の存在と防犯警戒中であることを明示する目的の高照度で点滅する警告灯５を備え、更に装置の携帯移動を可能にする目的の内臓電源６を備え、上記所要の各部材を身体の所望位置に装着可能な筐体７に配設装備したことを特徴とする。  その他、超広角の３６０度パノラマレンズを設けるレンズ系や、緊急用大型プッシュ式スイッチや緊急用ピン引抜スイッチを備える。【選択図】図１
2013152668.tif 000002
【特許請求の範囲】
【請求項１】
撮影光学系を備えた装置であって、超広角のカメラレンズを少なくとも前方と後方の方向に各１個ずつ設けて略全周囲の被写体を同時に捕らえるレンズ系を備え、該レンズ系によって投影された被写体情報をイメージセンサや画像処理装置を介して薄型軽量の記録媒体に動画データとして記録する撮影手段を備え、該撮影手段の動作中は周囲に装置の存在と防犯警戒中であることを明示する目的の高照度で点滅する警告灯を備え、更に装置の携帯移動を可能にする目的の内臓電源を備え、上記所要の各部材を身体の所望位置に装着可能な筐体に配設装備したことを特徴とする携帯式防犯装置。
【請求項２】
請求項１記載の携帯式防犯装置において、超広角のカメラレンズを少なくとも前方と後方の方向に各１個ずつ設けて略全周囲の被写体を同時に捕らえるレンズ系に代えて、超広角の３６０度パノラマレンズを装置上部、又は装置下部に設けて略全周囲の被写体を同時に捕らえるレンズ系を備えた携帯式防犯装置。
【請求項３】
主電源スイッチをＯＮにすると、撮影手段と警告灯の点滅がスタートされ、主電源スイッチをＯＦＦにすると撮影手段と警告灯の点滅が停止されると共に、新規の録画ファイルが日付判断可能に完成保存されるように構成されたものである請求項１記載、又は請求項２記載の携帯式防犯装置。
【請求項４】
更に、ブザー、又はスピーカーを設けて警報音、又は救難音を発生させる高音発生手段と、緊急時に該高音発生手段を瞬時にＯＮとする緊急用大型プッシュ式スイッチと、緊急用ピン引抜スイッチの少なくともどちらか一方を備えた請求項１、又は請求項２、及び請求項３に記載の携帯式防犯装置。
【請求項５】
緊急用大型プッシュ式スイッチ、又は緊急用ピン引抜スイッチをＯＮにすることで、警報音、又は救難音を発生させると共に、撮影手段と警告灯の点滅を同時にスタートさせるように構成された請求項１記載、又は請求項２記載、及び請求項３、及び請求項４に記載の携帯式防犯装置。
【発明の詳細な説明】
【技術分野】
【０００１】
本発明は、性別を問わず広い年代層で利用可能な、防犯カメラとしての機能を内蔵した屋外で使用する携帯式防犯装置に関するものであり、警察や警備機関でも有効利用出来るものである。
【背景技術】
【０００２】
背景技術として、警備や防犯カメラとしては、従来より固定式の防犯カメラが一般的に使用されており、ビルや住宅の屋内外に固定設置して使用するもので、あらかじめ設定した一定の視野範囲を通常時も異常時も常時撮影し続け、警備用の場合は別部屋で人がモニターを監視し、防犯用の場合は、長時間に渡る録画データを別部屋に設置された記録ボックスに内臓された大容量のハードディスク等に保存するというものがある。
概念的には、警備用では不審者の監視目的のものとなり、防犯用では目立つ所に設置され、犯罪行為の抑止と、犯罪行為の証拠の記録を目的としたものとなる。
尚、壁等に固定した撮影カメラと別部屋に設置した記録ボックスやモニターは、ケーブルによる接続や無線ＬＡＮ等で接続して使用する方法が採用されている。
【０００３】
上記固定式の防犯カメラについての問題点としては、防犯カメラが存在するところでは、犯罪抑止効果と犯行現場の状況証拠確保等に効果を発揮するが、防犯カメラの無い所では効果はないという点である。
ちなみにイギリスは、現在、世界の中でも最も監視カメラが設置されている国であり、約４２０万台の監視カメラが街頭に設置され、市民1人につき、1日に３００回以上も監視カメラに撮影されると言われている。
監視カメラは、犯罪・テロ対策として効果的であると期待される一方で監視社会、プライバシーの侵害との批判が高まることも避けられない所ではあるが、少なくともイギリス国民はプライバシーよりも治安の向上を望んだ結果であると考える。
【０００４】
日本でも各都道府県警は、繁華街等の防犯対策の一環として、監視カメラを設置を進めており、２００７年に日本では初めて鉄道車両内に監視カメラを設置するなど、公共交通機関でも防犯を強く意識した監視カメラの設置が進んでいる。
しかしながら、日本のどの場所にいても監視カメラが存在するという状況になるには、長い年月が掛かるものと思われる。
【０００５】
そして現時点では、上記の様な防犯カメラという概念で市販されている携帯式の商品は無く、その理由としては、現在までの犯罪情勢と社会的背景から、そこまでの商品の必要性がなかったことや、常時撮影ということになると技術的に記録媒体や電源やカメラレンズや制御機器等の全ての面で小型化が難しかった点と、固定式の防犯カメラの様に１方向をカメラレンズで捕らえるだけでは、屋外で移動式として使用するには撮影範囲の不足が伴うといった点などがあるのではないかと推察される。
【０００６】
又、屋外用の護身用の防犯装置としては、携帯式の防犯ブザーが一般的に使用されており、プラグ引抜き型のスイッチをＯＮにすることで、大音量の威嚇音を発生するものが子供や女性を初めとして広く用いられている。
この携帯式防犯ブザーは、図らずも暴漢に遭遇した時には、高音のブザー音を発して、暴漢を退け、危険回避しようとする目的のものであり、ひったくり、痴漢、児童誘拐等の一定の犯罪に関して、上記の大音量の威嚇音が大事な役割を果たすと共に、効果を得ていることは周知である。
【０００７】
上記の携帯式防犯ブザーについての問題点としては、ひったくり、痴漢、児童誘拐等の一定の犯罪に関して効果を得ているが、被害に遭遇したときに、大きな音を鳴らすと言うだけの簡易的なものであるが故、現代社会の多種に渡る犯罪の中での有効性が、必ずしもベストでは無い状況にある。
特に、最近の凶悪犯罪の中で、児童を対象とした通り魔的連続殺傷事件や、ひき逃げ事件等の犯罪には無力であり、その理由としては、いきなり刃物を切り付けられる等、犯罪者が殺人を目的にしている場合や、ひき逃げ事件等のように突発的に発生した事故から、加害者が逃げ去るような犯罪に於いては、現状の防犯ブザーでは何らの効果もない。
又、現在の携帯式防犯ブザーは、発売初期時から比べると小型化が進み、装置の形状もキャラクター化する等、目に付きにくく、防犯ブザーを所持していることが分かり難くなっていることも犯罪事前抑止の観点から見ると問題と言える。
【発明の概要】
【発明が解決しようとする課題】
【０００８】
現代社会において、若い女性を対象とした痴漢や暴行事件、児童を対象とした通り魔的連続殺傷事件、更には、信号を赤で渡ろうとした人物に親切で注意した人が暴行を受け死亡するといった様な凶悪的かつ悲惨な事件が多く発性している。
その様な犯罪をどのようにして減少させ、又、残念にも発生した犯罪については、再犯を防ぐ為にも、どのようにして迅速に犯人逮捕に結びつけるかが問われている。
【０００９】
又近年、悪質な車のひき逃げ事件等の犯罪が増える傾向にある。
そうであるにも関わらず、ひき逃げ事件の捜査が年々難しくなってきており、その理由の一つとして、車の製造技術の進歩で、事故現場に犯行車両の塗装の破片等が残らなくなってきているという事情が発生していることも大きな問題である。
その様な観点から、以前にも増して有効な新しい犯罪捜査技術が必要とされている。
【００１０】
本発明は、上記の様な課題に鑑みて成なされたものであり、その目的とする所は、屋外で使用する携帯式防犯装置に於いて、強力な犯罪の事前抑止効果の有するものを提供すると共に、例えばひき逃げ事件等のように突発的に発生した事故から、加害者が逃げ去るような犯罪に於いても、犯人逮捕に結びつける手がかりや状況証拠を記録する手段を有する携帯式防犯装置を提供し、加害者がそれを見たときに、そう簡単に逃げられないという逃亡抑止の効果を発生させると共に、図らずも加害者が逃げ去った場合でも、確保した記録を捜査に役立て、迅速な犯人逮捕に結びつけられるものを提供することを課題とする。
【課題を解決するための手段】
【００１１】
本発明は、上記の課題を解決するために、次のような構成を採用する。
【００１２】
まず初めに請求項１に記載した構成について説明する。
撮影光学系を備えた装置であって、超広角のカメラレンズを少なくとも前方と後方の方向に各１個ずつ設けて略全周囲の被写体を同時に捕らえるレンズ系を備え、該レンズ系によって投影された被写体情報をイメージセンサや画像処理装置を介して薄型軽量の記録媒体に動画データとして記録する撮影手段を備え、該撮影手段の動作中は周囲に装置の存在と防犯警戒中であることを明示する目的の高照度で点滅する警告灯を備え、更に装置の携帯移動を可能にする目的の内臓電源を備え、上記所要の各部材を身体の所望位置に装着可能な筐体に配設装備したことを主要な特徴とする。
【００１３】
作用としては、超広角のカメラレンズを少なくとも前方と後方の方向に各１個ずつ設けて略全周囲の被写体を同時に捕らえるレンズ系を備えることにより、略全周囲の被写体を同時に投影することが可能となり、該レンズ系によって投影された被写体情報をイメージセンサや画像処理装置を介して薄型軽量の記録媒体に動画データとして記録する撮影手段を備えることにより、あらゆる角度からの突発的な犯罪に遭遇した時にでも状況証拠となる録画の確保が可能になる。
なお、音声マイクを備えて、録画と同時に録音もできるようにしておくと良い。
【００１４】
更に、撮影手段の動作中は高照度で点滅する警告灯を備えることにより、適宜距離を隔てた位置からも周囲に装置の存在と防犯警戒中であることを明示することが可能になる。
【００１５】
上記の高照度で点滅する警告灯は、点滅のみでも良いし回転しても良い。
警告灯は、直径２０ミリ程度のドームケースに超高輝度発光ＬＥＤランプが内臓されたものにするのが良く、明るさとしては、夜間で１００ｍ離れた位置からでも見え、昼間でも３０ｍ程度はなれた位置から点滅が確認できる程度の輝度のものが良い。
【００１６】
方法としては、超高輝度発光ＬＥＤランプの狭視野角タイプのもので１０００ミリカンデラ程度のものを光の放射方向に対して水平回転させるパトランプタイプや、超高輝度発光ＬＥＤランプの広視野角タイプのもので３５０ミリカンデラ程度のものを３〜４個程度内臓して合計１０００ミリカンデラ程度にして点滅させるものを使用すると良い。
【００１７】
一般的に狭視野角タイプとしては汎用輝度で１００ミリカンデラ以下、高輝度で数１００ミリカンデラ以上、超高輝度で１０００ミリカンデラ以上と分かれる。
一般の電気製品で電源のＯＮ−ＯＦＦの確認に使用するＬＥＤランプで直径３ｍｍ〜５ｍｍのものは、汎用輝度タイプの５〜３０ミリカンデラ程度のものであり、上記の高照度で点滅する警告灯とは用途的にも輝度的にも明らかに区別されるものである。
【００１８】
又、撮影手段を駆動する為の内臓電源を備えることにより、移動式の装置として使用することを可能にする。
【００１９】
そして、上記所要の各部材を身体の所望位置に装着可能な筐体に配設装備することにより、装置を手に持つ必要が無くなると共に、一定の被写体を意識的に撮影する目的の装置では無いということを示す作用があり、意識的に撮影しなので犯罪等に無関係な人には何らの障害にならなくする。
なお、身体の所望位置というのは、例えば頭、肩、腕、腰等の任意の箇所に装着することが出来るような筐体を適宜形成すると良い。
身体の着衣やランドセルやハンドバックといった身体に装備するものに関係させて装着しても良し、筐体自体をヘルメットと一体になったようなものにしても良いし、別途に装着を助ける補助具を用意しても良い。
【００２０】
次に請求項２に記載した構成について説明する。
請求項１記載の携帯式防犯装置において、超広角のカメラレンズを少なくとも前方と後方の方向に各１個ずつ設けて略全周囲の被写体を同時に捕らえるレンズ系に代えて、超広角の３６０度パノラマレンズを装置上部、又は装置下部に設けて略全周囲の被写体を同時に捕らえるレンズ系を備えたことを特徴とする。
【００２１】
作用としては、略全周囲の被写体を同時に捕らえることが可能になる点に於いては請求項１記載のものと同様の作用であるが、レンズが１個で済む作用と、画像処理装置の内部処理が構成１のものより簡単に出来る作用がある。
【００２２】
次に請求項３に記載した構成について説明する。
主電源スイッチをＯＮにすると、撮影手段と警告灯の点滅がスタートされ、主電源スイッチをＯＦＦにすると撮影手段と警告灯の点滅が停止されると共に、新規の録画ファイルが日付判断可能に完成保存されるように構成されたことを特徴とする。
【００２３】
作用としては、装置の操作を単純化して外出するときは、主電源スイッチをＯＮにするだけにすることにより、本発明の目的とする所の固定式防犯カメラと略同じ概念での運用手法となると共に、基本動作が間違いなく実行されるという作用があり、お年寄りや子供であっても間違いのない取り扱いが可能である。
又、録画ファイルが日付判断の可能な状態で保存されるように構成することにより、本装置を犯罪捜査等に利用するときに、日付から捜査対象となるファイル特定が容易になる作用がある。
【００２４】
次に請求項４に記載した構成について説明する。
更に、ブザー、又はスピーカーを設けて警報音、又は救難音を発生させる高音発生手段と、緊急時に該高音発生手段を瞬時にＯＮとする緊急用大型プッシュ式スイッチと、緊急用ピン引抜スイッチの少なくともどちらか一方を備えることを特徴とする。
【００２５】
作用としては、図らずも犯罪に遭遇した緊急時には、瞬時に上記緊急用スイッチをＯＮにすることにより、ブザー、又はスピーカーから、警報音、又は救難音を発生させることが可能になり、犯人を退ける作用と犯人から逃げる隙を作るなどの作用がある。
尚、出来るだけ強力な犯罪者を威嚇する位のブザー音、或いは、たすけて〜という叫ぶ人声音等を発生させるのが良い。
【００２６】
次に請求項５に記載した構成について説明する。
緊急用大型プッシュ式スイッチ、又は緊急用ピン引抜スイッチをＯＮにすることで、警報音、又は救難音を発生させると共に、撮影手段と警告灯の点滅を同時にスタートさせるように構成されたことを特徴とする。
【００２７】
作用としては、主電源スイッチをＯＮにしてなかった場合にでも、上記緊急用スイッチをＯＮにすることにより、警報音、又は救難音を発生させると共に、前記撮影手段と警告灯の点滅を同時にスタートさせることが可能になり、犯人の顔や犯行の様子を確実に録画することができる。
【００２８】
特にこの請求項５で記載した構成については、防犯警戒中の警備員や警察官が使用すると良い構成であると考えられ、防犯警戒中に犯罪者を追跡する様な緊急な場面が発生した時に、緊急用大型プッシュ式スイッチを押して、緊急追跡用警報音を発生させると共に、
撮影手段と警告灯の点滅を同時にスタートさせて犯人の追跡を行うことができ、追跡から逮捕まで一部始終の記録を残せる作用がある。
【発明の効果】
【００２９】
請求項１に記載した構成の効果としては、課題を解決するための手段欄の作用として詳述した内容と重複する部分もあるが、効果としての観点から説明すると、超広角のカメラレンズを少なくとも前方と後方の方向に各１個ずつ設けることにより、通常の携帯用カメラでは捕らえられない略全周囲の被写体情報を、同時に捕らえることができる効果が生まれ、背景技術欄で述べた、固定式の防犯カメラの様に１方向をカメラレンズで捕らえるだけでは、屋外で移動式として使用する場合に撮影範囲の不足が伴うといった点などの問題点が解消される。
【００３０】
又、上記該レンズ系によって投影された被写体情報をイメージセンサや画像処理装置を介して薄型軽量の記録媒体に動画データとして記録する撮影手段を備えることにより、あらゆる角度から突発的な事故や犯罪に遭遇した時にでも状況証拠の確保が可能となり、それを捜査に役立て、迅速な犯人逮捕に結びつけられる効果がある。
【００３１】
例えば、歩道を歩いていて、突然後ろから車に轢かれる様な状況が発生した場合でも、常時動作状態で携帯することにより、その車体とナンバープレート、更には運転者の顔等を捕らえることが可能になる。
なお、これは発明が解決しようとする課題欄でも述べたが、車の製造技術の進歩で、事故現場に犯行車両の塗装の破片等が残らなくなってきているという今日において、もし本発明の携帯式防犯装置が普及すれば、以前にも増して有効な新しい犯罪捜査技術となり得るものである。
【００３２】
同様に、本発明の携帯式防犯装置は、痴漢やひったくりの様な犯罪に関しても有効であり、通常なら後方の死角から襲われ、顔を見る暇も無く逃げ去られるという事態となるような場面に於いても、装置が常時動作状態で携帯することにより、一瞬の後ろからの犯行証拠と犯人の顔や全体像を捕らえることが可能となり、従来では撮影カメラを手に持っていたとしても捕らえられないような状況証拠が確保可能になるという効果が発生する。
【００３３】
又、この様な犯人逮捕に結びつける手がかりや状況証拠を記録する手段を有する携帯式防犯装置を提供することにより、車の引き逃げ犯罪の対策にもなり、突発的に事故を起こした加害者が逃げたい衝動に駆られても、自身の車やナンバープレート、更に、自身の顔等が、被害者の装置に残されている可能性の高いことを認識させることにより、逃走を踏み止ませる逃亡阻止としての効果がある。
【００３４】
更に、撮影手段の動作中は高照度で点滅する警告灯を備えることにより、適宜距離を隔てた位置からも警告灯が視認可能になり、周囲に本装置の存在と防犯警戒中であることを明示することができるので、犯罪者に犯罪を犯した場合には代償が高くつくことを予見させて犯罪を踏み留ませるという犯罪抑止としての効果が発生する。
又これにより、背景技術欄で述べた防犯ブザーを所持していることが分かり難くいという問題点が解決される。
【００３５】
そして、上記所要の各部材を身体の所望位置に装着可能な筐体に配設装備することにより、装置を手に持つ必要が無くなると共に、一定の被写体を意識的に撮影する目的の装置では無いということを示す効果がある。
本来、意識的に撮影しない限り犯罪に無関係な人には何らの障害にはならない。
【００３６】
請求項２に記載した構成の効果としては、課題を解決するための手段欄の作用として詳述した内容と重複する部分もあるが、効果としての観点から説明すると、超広角の３６０度パノラマレンズを装置上部、又は装置下部に設けることにより、略全周囲の被写体を同時に捕らえることが可能となり、背景技術欄で述べた固定式の防犯カメラのように１方向をカメラレンズで捕らえるだけでは、屋外で移動式として使用する場合に撮影範囲の不足が伴うといった点などの背景技術欄で述べた問題点が解消される。
特有の効果としては、上記のように略全周囲の被写体を同時に投影することが可能となる点に於いては同様の効果であるが、レンズが１個で済む点と、画像処理装置の内部処理が構成１のものより簡単に出来る効果がある。
【００３７】
請求項３に記載した構成の効果としては、課題を解決するための手段欄の作用として詳述した内容と重複する部分もあるが、効果としての観点から説明すると、主電源スイッチをＯＮにすると、撮影手段と警告灯の点滅がスタートされ、主電源スイッチをＯＦＦにすると撮影手段と警告灯の点滅が停止されると共に、新規の録画ファイルが日付判断可能に完成保存されるように構成されることにより、装置の操作は外出するときに主電源スイッチをＯＮにするだけでよく、本発明の目的とする所の固定式防犯カメラと略同じ概念での運用効果を得られる共に、基本動作が間違いなく実行され、お年寄りや子供であっても間違いのない取り扱いが可能になる。
【００３８】
又、録画ファイルが日付判断の可能な状態で保存されるように構成することにより、本装置を犯罪捜査等に利用する時に、日付から捜査対象となるファイル特定が容易になり、せっかく犯罪の状況証拠を確保出来ているにも関わらず、その取り出しに手間が掛かったり、見落としたりの手落ちを無くする効果がある。
【００３９】
請求項４に記載した構成の効果としては、課題を解決するための手段欄の作用として詳述した内容と重複する部分もあるが、効果としての観点から説明すると、図らずも犯罪に遭遇した緊急時には、ブザー、又はスピーカーから、警報音、或いは、救難音を発生させる高音発生手段と、緊急時に瞬時にＯＮとするスイッチにより、犯罪者を威嚇するブザー音、或いは、たすけて〜という叫ぶ人声音等を発生させることが可能になり、犯人を退ける効果があると共に、犯人から逃げる隙を作るなどの効果がある。
【００４０】
請求項５に記載した構成の効果としては、課題を解決するための手段欄の作用として詳述した内容と重複する部分もあるが、効果としての観点から説明すると、主電源スイッチをＯＮにしてなかった場合にでも、上記緊急用スイッチをＯＮにすることにより、警報音、又は救難音を発生させると共に、前記撮影手段と警告灯の点滅を同時にスタートさせることが可能になり、犯人の顔や犯行の様子を確実に録画することができる。
【００４１】
特に、この請求項５で記載した構成については、防犯警戒中の警察官や警備員が使用すると良い構成であると考えられ、防犯警戒中に犯罪者を追跡する様な緊急な場面が発生した時に、緊急用大型プッシュ式スイッチを押して、警察や警備特有の緊急追跡用警報音を発生させると共に、撮影手段と警告灯の点滅を同時にスタートさせて犯人の追跡を行うことができ、追跡から逮捕まで一部始終の記録と、逮捕直後の犯人の挙動等も動画記録に残せる効果がある。
【００４２】
繁華街やイベント会場の人の混雑した路上で犯人を追跡する時には、警察や警備特有のパトロール音や緊急追跡音を大音量で発っすることで、衆人が早い段階で状況の判断できるため、予め避けてくれたり、場合によっては犯人逮捕を補助してくれたりする可能性もあると共に、予め人が避けてくれるので、２次災害となる自転車やランニングよる追跡時の事故などの発生を防げる等の効果が発生する。
【００４３】
又、略全周囲の撮影が可能な本携帯式防犯装置を犯罪者追跡や犯罪捜査に使用することにより、犯行現場の周辺にいた人物の記録も残り、後で手がかりになる記録になり得る。
更に、音声機能を付加すれば、後の供述調書作成時に利用できる言動等も記録に残るので、犯人の言い逃れができなくなり、検挙率の向上にも繋がるという効果が発生する。
【００４４】
この様に、本携帯式防犯装置は一般向けとしての用途だけでなく、警察や警備機関でも有効活用ができるものであると共に、上記の様に多々の防犯警備に効果を得られるものであり実用価値の高いものである。
【図面の簡単な説明】
【００４５】
【図１】図１は本携帯式防犯装置の実施例１と５を示す内部側面図である。
【図２】図２は本携帯式防犯装置の実施例１を示す平面図である。
【図３】図３は本携帯式防犯装置の実施例１と４を示す後面斜視図である。
【図４】図４は本携帯式防犯装置の実施例１と５と６を示す正面斜視図である。
【図５】図５は本携帯式防犯装置の実施例１の装着方法を示す斜視図である。
【図６】図６は本携帯式防犯装置の実施例１の装着方法を示す斜視図である。
【図７】図７は本携帯式防犯装置の実施例１の装着方法を示す斜視図である。
【図８】図８は本携帯式防犯装置の実施例１の筐体の変型を示す斜視図である。
【図９】図９は本携帯式防犯装置の実施例１と５を示す後面斜視図である。
【図１０】図１０は本携帯式防犯装置の実施例２を示す正面図である。
【図１１】図１１は本携帯式防犯装置の実施例３を示す正面斜視図である。
【図１２】図１２は本携帯式防犯装置の実施例５を示す内部斜視図である。
【発明を実施するための形態】
【００４６】
以下、本発明を図の具体例を用いて説明する。
【実施例１】
【００４７】
本発明の第１実施例については、図１〜図９の図面を用いて説明する。
図１〜図４に示す様に、携帯式防犯装置Ａには、超広角のカメラレンズ１を、前方と後方の方向に各１個ずつ設けている。
図２に示すように、片側のカメラレンズの水平画角を１８０°にした場合、両側で３６０°の略全周囲の被写体を同時に捕らえることが可能となるレンズ系を備えている。
尚、前記の前方と後方の方向というのは、図６に示すように、本携帯式防犯装置を身体に装着した時に、カメラレンズ１が前方と後方を向くようになっており、右側に装着した時と左側に装着した時とで方向が入れ替わる。
【００４８】
続いて図１に示すように、上記レンズ系を介して投影される光情報を、Ａ−Ｄ変換器の内臓されたＣＭＯＳイメージセンサ２で捕らえ、画像圧縮や画像補正や機構制御機能を一体とした画像処理装置３を介して、メモリーカードである記録媒体４に、動画形式データとして記録する撮影手段を備えている。
【００４９】
そして、上記撮影手段の動作中は周囲に装置の存在と防犯警戒中であることを明示する目的の高照度で点滅する警告灯５を備え、更に装置の携帯移動を可能にする目的の内臓電源６を備え、上記所要の各部材を身体の所望位置に装着可能とするコンパクトな筐体７に配設装備している。
【００５０】
警告灯５は、課題を解決するための手段欄でも詳述しているが、消費電力が少ない直径２０ミリ位の超高輝度発光ＬＥＤを使用したパトライトや点滅ランプ等にすると昼間でも距離を隔てた位置から視認可能になる。
警告灯５は電源ＯＮ時には常時１〜２秒間隔で点滅し続けるようにしておくと良い。
【００５１】
上記のメモリーカードとした記録媒体４に保存された動画形式ファイルは、図３と図９に示す様に、ＵＳＢ端子８を備えて、パソコン等の機器で即座に再生可能にすると良く、データ取出し時の通電や充電時もＵＳＢ端子８から行えるようにすると良い。
図９に示すように、ＵＳＢ端子８はフレキシブルな素材により形成され筐体７に収納されており、使用の時は折り曲げて取り出した先端部をパソコン等に接続できる。
【００５２】
図３と図５に示す様に、筐体７の蓋９に係止用フック９ａを設け、身体の上腕に係止用ベルト１０を装着し、係止用ベルト１０に設けたポケット穴１０ａに前記係止用フック９ａを引掛けて身体に装着している。
また本携帯式防犯装置Ａを腰等に装着する場合は、図７に示す様にズボンのベルト部位に係止用フック９ａを引掛けて装着することができる。
【００５３】
他にも身体に吊着したリュックサックやハンドバッグ等に装着して使用しても良い。
歩行者は右側通行で左側の空間が広いので、本携帯式防犯装置は左側に装着するのが良く、自転車の場合はは左側通行で右側の空間が広いので、右側に装着するのが良い。
更に、頭に装着するために、筐体７を、図８に示す様にヘルメットと一体に形成したものにしても良い。
【００５４】
尚、図３に示す様に赤外線ＬＥＤライト１１を、各超広角レンズの周りに８個程度を配設して、暗闇でも約３ｍ程度の撮影が出来るようにすると良く、本体に照度センサーを設けて、周辺が暗くなると自動的に夜間の赤外線モードに切り替わる様にしても良い。
【００５５】
以下、実施例１の更に詳細について説明する。
超広角のカメラレンズとしては、超広角であっても出来るだけ自然な描写が出来るように非球面の超広角レンズで、水平画角１８０°から１５０°前後のものが良い。
実施例１では１８０°のものを示したが、仮に水平画角１５０°の超広角レンズを使用した場合でも前方と後方の超広角レンズを合わせて３００°の略全周囲を捕らえることができる。
【００５６】
一般的にカメラレンズとしては、標準レンズが水平画角２５°から５０°、広角レンズが６０°から１００°、超広角レンズや魚眼レンズが最大１８０°の画角となっている。
魚眼レンズを使用しても差し支えないが、対角線魚眼レンズを選択すると良い。
【００５７】
特に、本携帯式防犯装置の超広角レンズは、固定絞りを入れた固定焦点レンズにして、常にパンフォーカス撮影となるように設計するのが機構も簡単なので良い。
尚、パンフォーカスとは、撮影において被写界深度を深くする事によって、近距離から遠距離までピントを合わせる方法であり、１ｍ〜∞までのピントがあうので、人間の視覚に近い表現となる。
【００５８】
イメージセンサは、ＣＭＯＳが駆動回路がシンプルで電源回路も少なくて済むと共に、近年の技術進歩によって、１チップ化が進み、センサー側でデジタル化されているので、ＣＣＤのようにＡ−Ｄ変換器を用いたアナログ信号処理が必要なく、画像処理が簡単になる上、ＣＣＤが１２Ｖから１５Ｖ必要なのに対して、３Ｖから６Ｖと扱いやすい。
【００５９】
一般的に、コンパクトサイズのカメラ主要部は、イメージセンサーとレンズ、画像処理回路が一体となったモジュールで提供されることが多いが、モジュールにする場合でも周辺のコンデンサも含めたチップ数に違いが出るので、ＣＭＯＳイメージセンサーを使用するのがサイズの小型化の面でも有利である。
【００６０】
記録媒体は、超小型ハードディスク等でも良いが、メモリーカードの方が大きさや消費電力面でもコスト的にも有利である。
現在のマイクロＳＤメモリーカードの最大容量のものとしては、２．７Ｖから３．６Ｖの動作電圧で６４ＧＢのものがあるが、技術の進歩により、小型で大容量化が進んでおり、今後も小型化、大容量化が進むと予想される。
【００６１】
前方と後方に設けたの超広角のカメラレンズで捉えた映像は、画像処理に於いて連結したパノラマ映像として画像処理するのが良い。
動画フォーマットについては、ＭｏｔｉｏｎＪＰＥＧ、ＡＶＩ、ＭＰＥＧ形式等を初めとして多種存在し、選択は任意で良いが、記録媒体の上限に限りがあるので、画像圧縮率の高い長時間録画に適したものが良い。
【００６２】
例えば、ＶＧＡ６４０×４８０ピクセル、ＡＶＩ規格、ビデオ圧縮：ＸＶＩＤ、音声圧縮：ＡＤＰＣＭ規格、録画フレームレート：１０ｆｐｓ、ＳＤカード容量：１６ＧＢの規格で動画記録すると、概ね２５時間の連続録画が可能である。
録画フレームレートを５ｆｐｓにして、ＳＤカード容量を３２ＧＢにすると、連続録画で、概ね１００時間の録画が可能となる。
【００６３】
本携帯式防犯装置を通学や通勤時、又散歩やランニング運動時等に使用したとすると、１日で２時間から３時間程度の使用時間と考えられるので、平均２時間半の使用率とすると、上記１００時間の録画できる設定のものであれば、実に過去４０日分の記録がメモリーカードに保存されることになり、もし犯罪捜査に繋がる動画が記録されていて、その後古いデータを自動で削除しながら使い続けたとしても、約４０日間は消えることはなく、犯罪捜査の上で証拠と成る記録を、捜査当局が入手できる可能性が極めて高くなる。
【００６４】
使用する電源は、リチウムイオン電池や、ニッケル水素電池等の充電式バッテリーにするのが良いと思われる。
電圧は３．５Ｖ〜５Ｖ程度のもので動作可能と考えられるが、電池容量は連続録画時間に関わる部分でもあり、出来るだけ大きいものが良い。
【００６５】
所望により、屋内での充電中に録画をするようにする場合は、赤外線センサーを数個設けて、被写体に動きがあったときにだけ録画するというモーション録画方式にするとファイル容量が節約できる。
【００６６】
更に、本体側面にＬＥＤ文字表示パネルを使用して、防犯カメラ動作中等の文字をスクロール表示させても良く、カメラと動作中の文字を入替表示させても良い。
【実施例２】
【００６７】
本発明の第２実施例については、図１０の図面を用いて説明する。
第１実施例で示したものでは、超広角のカメラレンズを少なくとも前方と後方の方向に各１個ずつ設けたが、そのレンズ系に代えて超広角の３６０度パノラマレンズ１２を装置上部に設けて略全周囲の被写体を同時に捕らえることを可能としている。
【実施例３】
【００６８】
本発明の第３実施例については、図１１の図面を用いて説明する。
上記第２実施例で示したものでは、３６０度パノラマレンズ１２を装置上部に設けているが、第３実施例のものは３６０度パノラマレンズ１２を装置下部に設けて略全周囲の被写体を同時に捕らえることを可能としている。
【実施例４】
【００６９】
本発明の第４実施例については、第１実施例の図面を用いて説明する。
図３に示す主電源スイッチ１３をＯＮにすると、撮影手段と警告灯の点滅がスタートされ、主電源スイッチをＯＦＦにすると撮影手段と警告手段が停止すると共に、該新規の録画ファイルが日付判断の可能な状態で完成保存されるように構成される。
【００７０】
日付判断の可能な状態で完成保存させる方法としては、ファイル名に西暦と日付や時間が入るようにしておくのが最良と思われる、
記録方法としては、電源ＯＮ時に於いて常時記録とする撮影手段としているので、固定式の様に２４時間の常時録画というものではないが、電源をＯＮにしている間だけは常時録画をするようにしている。
【実施例５】
【００７１】
本発明の第５実施例については、第１実施例の図面と図１２を用いて説明する。
図１２に示す様に、スピーカー１４が筐体７に配設され、図１に示す様に、音源用ＲＯＭや増幅回路を配した基盤１５を設けた高音発生手段と、図４と図９に示す様に、緊急時に該高音発生手段を瞬時にＯＮとする緊急用大型プッシュ式スイッチ１６と、緊急用ピン引抜スイッチ１７の両方を備えている。
高音発生手段の電源は、第１実施例で使用する内臓電源６と共用としても良いし、別途に内臓しても良い。
【００７２】
以下、第５実施例の更に詳細について説明する。
実施例で示すように、音色を、たすけて〜という叫ぶ人声音にする場合は、スピーカーと音源データ等の入ったＲＯＭと増幅回路を備えた高音発生手段にすれば良く、単色の高音だけを鳴らしたい場合は、スピーカー１４の代わりにブザーを設けて発振回路備えた高音発生手段にすれば良い。
【００７３】
ブザー、又はスピーカーとしては、小型の圧電ブザーや圧電スピーカーでも良いが、最近の新技術として、電磁ブザーや電磁スピーカーと呼ばれるものが高磁性材料、高磁力マグネットの採用により小型、且つ薄型で高音圧を発生することができる。
【００７４】
音量的には、従来の防犯ブザーでは、８０デシベル程度のものが一般的であるが、出来る限り大きい強力な１００デシベル以上の音にするのが望ましく、犯罪者を威嚇する強力なブザー音、或いは、たすけて〜と叫ぶ強力な人声音を発生させるのが良い。
【００７５】
緊急用大型プッシュ式スイッチ１６と、緊急用ピン引抜スイッチ１７はどちらか一つでも良いし、両方を備えたものにしても良い。
一度緊急用ピン引抜スイッチ側でスイッチを入れたら、ピンを戻しても約３０秒間連続で鳴り続ける様な仕様にして、ブザー音を簡単に止められない様にしても良い。
又、ピンの断面形状を鍵形として、暗闇では簡単にピンを戻せない様にしても良い。
【実施例６】
【００７６】
本発明の第６実施例については、第１実施例の図４を用いて説明する。
図４に示される緊急用大型プッシュ式スイッチ１６、又は緊急用ピン引抜スイッチ１７をＯＮにすることで、警報音、又は救難音を発生させると共に、第１実施例の撮影手段と警告灯５の点滅を同時にスタートさせるように構成される。
【００７７】
上記の第６実施例は、特に警察や警備機関で防犯警備用として使用する用途が良いと考えられるので、警報音を警察や警備特有の緊急追跡用警報音を発生させるのが良い。
また上記警察や警備機関で防犯警備用として使用する用途であれば、記録媒体に於いて４０日もの長時間撮影のための容量確保は必要はないので、撮影手段に於ける録画フレームレートは標準規格の３０ｆｐｓにするとスムーズな動画になるので良いと思われる。
それでも、３２ＧＢのメモリーカードで１６時間程度の記録が可能にとなる。15
【００７８】
以下、その他の全体を通じた実施例について説明する。
音声マイクを設ける場合は、無指向性の小型マイクで良く、音質を追求した高価なものは必要でく、耐久性の高いもの、防水性に配慮したものが良い。
なお、音声ファイルは、動画ファイルとタイムテーブルをシンクロさせて同じファイルに記録するのが良い。
【００７９】
以上、第１〜第４実施例までを簡単に説明したが、実際の実施に使用される部品と、その部品に係る形状や構造及び材質等は所望に応じて任意とすることができる。
【符号の説明】
【００８０】
Ａ  携帯式防犯装置
１  カメラレンズ
２  イメージセンサ
３  画像処理装置
４  記録媒体
５  警告灯
６  内臓電源
７  筐体
８  ＵＳＢ端子
９  蓋
９ａ  係止用フック
１０  係止用ベルト
１０ａ  ポケット穴
１１  赤外線ＬＥＤライト
１２  ３６０度パノラマレンズ
１３  主電源スイッチ
１４  スピーカー
１５  基盤
１６  緊急用大型プッシュ式スイッチ
１７  緊急用ピン引抜スイッチ
【図１】
2013152668.tif 000003
【図２】
2013152668.tif 000004
【図３】
2013152668.tif 000005
【図４】
2013152668.tif 000006
【図５】
2013152668.tif 000007
【図６】
2013152668.tif 000008
【図７】
2013152668.tif 000009
【図８】
2013152668.tif 000010
【図９】
2013152668.tif 000011
【図１０】
2013152668.tif 000012
【図１１】
2013152668.tif 000013
【図１２】
2013152668.tif 000014
【手続補正書】
【提出日】平成24年3月2日(2012.3.2)
【手続補正１】
【補正対象書類名】明細書
【補正対象項目名】００７９
【補正方法】変更
【補正の内容】
【００７９】
以上、第１〜第６実施例までを簡単に説明したが、実際の実施に使用される部品と、その部品に係る形状や構造及び材質等は所望に応じて任意とすることができる。